(57)【特許請求の範囲】
【請求項１】
情報提示装置であって、
物体にかける力の数と大きさと方向を示す力加減設定情報を複数記憶し、当該各力加減設定情報に対応づけて、当該力加減設定情報により示される数と大きさと方向の力をかけた場合の画像である、変形のない画像または変形後の画像または破壊後の画像を示す出力情報を記憶するとともに、生命体にかける力の数と大きさと方向を示す力加減設定情報を複数記憶し、当該各力加減設定情報に対応づけて、当該力加減設定情報により示される数と大きさと方向の力をかけた場合の画像である、力を感じていない生命体の画像または力を心地よいと感じている生命体の画像または力を痛いと感じている生命体の画像を示す出力情報を記憶するデータベースと、
前記物体または前記生命体のいずれかを選択する選択指示を受け付ける提示情報選択部と、
前記情報提示装置のユーザに使用されるユーザ使用物体に対して当該ユーザによりかけられた力の数と大きさと方向を示す力加減データを受信する力加減データ受信部と、
前記データベースから、前記選択指示で選択された前記物体または前記生命体の前記力加減データに対応する力加減設定情報を検索し、当該力加減設定情報に対応づけられた出力情報を読み出す変形処理部と、
前記選択指示が前記物体の場合は力がかかってない前記物体の画像を表示し、前記変形処理部により読み出された出力情報により示される画像を表示するとともに、前記選択指示が前記生命体の場合は力を感じていない生命体の画像を表示し、前記変形処理部により読み出された出力情報により示される画像を表示する情報提示部と、を備え、
前記変形処理部は、前記力加減データの力の方向を、縦、横および全体のいずれであるかを判定し、判定した力の方向に対応する力加減設定情報に対応づけられた出力情報を読み出す
ことを特徴とする情報提示装置。
【請求項２】
前記出力情報は、当該出力情報に対応する力加減設定情報により示される数と大きさと方向の力をかけた場合の画像を示すものであるとともに、当該力加減設定情報により示される数と大きさと方向の力をかけた場合に提示すべき色、音、振動の少なくとも１つを示すものであり、
前記情報提示部は、前記変形処理部により読み出された出力情報により示される画像を表示するとともに、当該出力情報により示される色、音、振動の少なくとも１つを発生させる
ことを特徴とする請求項１記載の情報提示装置。
【請求項３】
情報提示装置の動作方法であって、
前記情報提示装置は、
物体にかける力の数と大きさと方向を示す力加減設定情報を複数記憶し、当該各力加減設定情報に対応づけて、当該力加減設定情報により示される数と大きさと方向の力をかけた場合の画像である、変形のない画像または変形後の画像または破壊後の画像を示す出力情報を記憶するとともに、生命体にかける力の数と大きさと方向を示す力加減設定情報を複数記憶し、当該各力加減設定情報に対応づけて、当該力加減設定情報により示される数と大きさと方向の力をかけた場合の画像である、力を感じていない生命体の画像または力を心地よいと感じている生命体の画像または力を痛いと感じている生命体の画像を示す出力情報を記憶するデータベースを備え、
前記物体または前記生命体のいずれかを選択する選択指示を受け付ける選択受付ステップと、
前記情報提示装置のユーザに使用されるユーザ使用物体に対して当該ユーザによりかけられた力の数と大きさと方向を示す力加減データを受信する受信ステップと、
前記データベースから、前記選択指示で選択された前記物体または前記生命体の前記力加減データに対応する力加減設定情報を検索し、当該力加減設定情報に対応づけられた出力情報を読み出す変形処理ステップと、
前記選択指示が前記物体の場合は力がかかってない前記物体の画像を表示し、前記変形処理ステップで読み出された出力情報により示される画像を表示するとともに、前記選択指示が前記生命体の場合は力を感じていない生命体の画像を表示し、前記変形処理ステップで読み出された出力情報により示される画像を表示する情報提示ステップと、を行い、
前記変形処理ステップは、前記力加減データの力の方向を、縦、横および全体のいずれであるかを判定し、判定した力の方向に対応する力加減設定情報に対応づけられた出力情報を読み出す
ことを特徴とする情報提示装置の動作方法。
【請求項４】
請求項１または２に記載の情報提示装置としてコンピュータを機能させるためのコンピュータプログラム。
【発明の詳細な説明】
【技術分野】
【０００１】
本発明は、情報提示装置、情報提示装置の動作方法およびコンピュータプログラムに関するものである。
【背景技術】
【０００２】
非特許文献１にあるように、コミュニケーション能力や身体的器用さといった、高次の脳機能を発達させるためには、子どもの内に、五感と前庭覚、固有受容覚といった基礎的な感覚を発達・協調させることが重要となる。その中でも、固有受容覚と触覚の発達と協調のために、今自分が物にかけている力加減がどの程度かを、子どもは自身の感覚を通して学ぶことが重要となる。特に、発達上問題を抱える子どもの中には、物に力をかけすぎると壊してしまうことを頭では理解していても、実際に力の調節が難しい子どもがいるため、力加減を学ばせる訓練が必要となる。
【０００３】
近年、子どもがスマートフォンをはじめとする電子機器に触れる機会は増加しており、各種センサを物体自体に取り付けて物体にかかる力加減の情報を取得するものが増えてきている。しかし、操作対象者が子どもの場合は、力加減の取得だけでなく、力加減を子どもに理解しやすい方法で学ばせることが重要となるためフィードバック提示方法が重要となる。特許文献１では、主に足の加重の強さに対して程度情報を提示することが示されている。
【先行技術文献】
【特許文献】
【０００４】
【特許文献１】特開２０００−３０８６９８号公報
【非特許文献】
【０００５】
【非特許文献１】坂本竜生編「入門  感覚統合法の理論と実践」p29-p48、学研、1985
【発明の概要】
【発明が解決しようとする課題】
【０００６】
特許文献１では、程度情報を音だけで表しており、感覚の未発達な子どもにとっては様々な感覚情報を統合する必要があるため不十分であることや、前回値と比較した折れ線データなどは大人用の提示方法であり、子どもにより理解しやすい提示方法が必要となる。
【０００７】
本発明は、子どもに理解しやすいフィードバックの提示方法という課題に鑑みてなされたものであり、その目的とするところは、子どもが物にかけた力加減のデータを電子機器で情報出力する際に、自身がかけた力加減を子ども自身が理解しやすいような提示方法で提示し、力加減を学ぶことのできる情報提示技術を提供することにある。
【課題を解決するための手段】
【０００８】
上記の課題を解決するために、第１の本発明は、情報提示装置であって、物体にかける力の数と大きさと方向を示す力加減設定情報を複数記憶し、当該各力加減設定情報に対応づけて、当該力加減設定情報により示される数と大きさと方向の力をかけた場合の画像である、変形のない画像または変形後の画像または破壊後の画像を示す出力情報を記憶するデータベースと、前記情報提示装置のユーザに使用されるユーザ使用物体に対して当該ユーザによりかけられた力の数と大きさと方向を示す力加減データを受信する力加減データ受信部と、前記データベースから前記力加減データに対応する力加減設定情報を検索し、当該力加減設定情報に対応づけられた出力情報を読み出す変形処理部と、力がかかってない前記物体の画像を表示し、前記変形処理部により読み出された出力情報により示される画像を表示する情報提示部とを備えることを特徴とする。
【０００９】
第２の本発明は、情報提示装置であって、生命体にかける力の数と大きさと方向を示す力加減設定情報を複数記憶し、当該各力加減設定情報に対応づけて、当該力加減設定情報により示される数と大きさと方向の力をかけた場合の画像である、力を感じていない生命体の画像または力を心地よいと感じている生命体の画像または力を痛いと感じている生命体の画像を示す出力情報を記憶するデータベースと、前記情報提示装置のユーザに使用されるユーザ使用物体に対して当該ユーザによりかけられた力の数と大きさと方向を示す力加減データを受信する力加減データ受信部と、前記データベースから前記力加減データに対応する力加減設定情報を検索し、前記検索した力加減設定情報に対応づけられた出力情報を読み出す変形処理部と、力がかかってない前記生命体の画像を表示し、前記変形処理部により読み出された出力情報により示される画像を表示する情報提示部とを備えることを特徴とする。
【００１０】
例えば、前記出力情報は、当該出力情報に対応する力加減設定情報により示される数と大きさと方向の力をかけた場合の画像を示すものであるとともに、当該力加減設定情報により示される数と大きさと方向の力をかけた場合に提示すべき色、音、振動の少なくとも１つを示すものであり、前記情報提示部は、前記変形処理部により読み出された出力情報により示される画像を表示するとともに、当該出力情報により示される色、音、振動の少なくとも１つを発生させる。
【００１１】
第３の本発明は、情報提示装置の動作方法であって、前記情報提示装置は、物体にかける力の数と大きさと方向を示す力加減設定情報を複数記憶し、当該各力加減設定情報に対応づけて、当該力加減設定情報により示される数と大きさと方向の力をかけた場合の画像である、変形のない画像または変形後の画像または破壊後の画像を示す出力情報を記憶するデータベースを備え、前記動作方法は、前記情報提示装置の力加減データ受信部が、前記情報提示装置のユーザに使用されるユーザ使用物体に対して当該ユーザによりかけられた力の数と大きさと方向を示す力加減データを受信し、前記情報提示装置の変形処理部が、前記データベースから前記力加減データに対応する力加減設定情報を検索し、当該力加減設定情報に対応づけられた出力情報を読み出し、前記情報提示装置の情報提示部が、力がかかってない前記物体の画像を表示し、前記変形処理部により読み出された出力情報により示される画像を表示することを特徴とする。
【００１２】
第４の本発明は、情報提示装置の動作方法であって、前記情報提示装置は、生命体にかける力の数と大きさと方向を示す力加減設定情報を複数記憶し、当該各力加減設定情報に対応づけて、当該力加減設定情報により示される数と大きさと方向の力をかけた場合の画像である、力を感じていない生命体の画像または力を心地よいと感じている生命体の画像または力を痛いと感じている生命体の画像を示す出力情報を記憶するデータベースを備え、前記動作方法は、前記情報提示装置の力加減データ受信部が、前記情報提示装置のユーザに使用されるユーザ使用物体に対して当該ユーザによりかけられた力の数と大きさと方向を示す力加減データを受信し、前記情報提示装置の変形処理部が、前記データベースから前記力加減データに対応する力加減設定情報を検索し、前記検索した力加減設定情報に対応づけられた出力情報を読み出し、前記情報提示装置の情報提示部が、力がかかってない前記生命体の画像を表示し、前記変形処理部により読み出された出力情報により示される画像を表示することを特徴とする。
【００１３】
第５の本発明は、第１または第２の本発明に係る情報提示装置としてコンピュータを機能させるためのコンピュータプログラムである。
【発明の効果】
【００１４】
本発明によれば、子どもが物などにかけた力加減を子ども自身が理解しやすいような提示方法で提示でき、よって、子どもに力加減を学ばせることができる。
【図面の簡単な説明】
【００１５】
【図１】本実施の形態に係る情報提示装置の構成を示す図である。
【図２】データベース１１の構成の一例を示す図である。
【図３】情報提示装置１における全体処理のフローチャートである。
【図４】出力情報選択処理（Ｓ１）の詳細なフローチャートである。
【図５】提示情報選択処理（Ｓ２）の詳細なフローチャートである。
【図６】提示情報ＩＤをユーザに選択させるための画面の一例である。
【図７】フィードバック処理（Ｓ３）の詳細なフローチャートである。
【図８】力の方向を検出する仕組みを説明するための図である。
【発明を実施するための形態】
【００１６】
以下、本発明の実施の形態について図面を参照して説明する。
【００１７】
図１は、本実施の形態に係る情報提示装置の構成を示す図である。
【００１８】
情報提示装置１は、力加減データ検出装置２に接続され、内部には、データベース１１、力加減データ受信部１２、変形処理部１３、情報提示部１４、提示情報選択部１５および出力情報選択部１６を備える。情報提示装置１と力加減データ検出装置２は、例えば、スマートフォンなどと称される携帯端末内に構成される。
【００１９】
力加減データ検出装置２は、情報提示装置１のユーザＵに使用されるユーザ使用物体２０に対してユーザＵによりかけられた力の数と大きさと方向を検出するものである。ユーザＵは、例えば、子どもである。ユーザ使用物体２０は、例えば、情報提示装置１と力加減データ検出装置２が構成されるスマートフォンなどの筐体である。
【００２０】
図２は、データベース１１の構成の一例を示す図である。
【００２１】
データベース１１は、例えば、卵を示す提示情報ＩＤに対応づけて、卵にかける力の数（圧力点数[点]）と大きさ（圧力値[N/m2]）と方向（力の方向）を示す力加減設定情報を複数記憶する。図では、共通の圧力値を纏め、共通の圧力点数を纏めて示す。
【００２２】
また、データベース１１では、各力加減設定情報に対応づけて、当該力加減設定情報により示される数と大きさと方向の力をかけた場合の卵の画像である、変形のない卵の画像(Egg_0.png)または変形後の卵の画像(Egg_1.png)または破壊後の卵の画像(Egg_2.png)を示す出力情報を記憶する。画像を示す情報は、例えば、ファイル名である。
【００２３】
また、データベース１１は、例えば、生命体を示す提示情報ＩＤに対応づけて、生命体にかける力の数（圧力点数[点]）と大きさ（圧力値[N/ m2]）と方向（力の方向）を示す力加減設定情報を複数記憶する。図では、共通の圧力値を纏め、共通の圧力点数を纏めて示す。
【００２４】
また、データベース１１は、各力加減設定情報に対応づけて、当該力加減設定情報により示される数と大きさと方向の力をかけた場合の生命体の画像である、力を感じていない生命体の画像(human_0.png)または力を心地よいと感じている生命体の画像(human_1.png)または力を痛いと感じている生命体の画像(human_2.png)を示す出力情報を記憶する。生命体の画像は、例えば、握手する手の画像である。画像を示す情報は、例えば、ファイル名である。
【００２５】
出力情報は、該出力情報に対応する力加減設定情報により示される数と大きさと方向の力をかけた場合に提示すべき色、音、振動の少なくとも１つを示すものであってもよい。色を示す情報は、例えばＲＧＢそれぞれの値を示す。音を示す情報は、例えば音のファイル名である。振動を示す情報は、例えば振動の振幅と周波数の程度を示す。
【００２６】
また、データベース１１は、各力加減設定情報に対応づけて、当該力加減設定情報により示される数と大きさと方向の力をかけた場合の変化現象名を記憶してもよい。
【００２７】
図３は、情報提示装置１における全体処理のフローチャートである。
【００２８】
まず、出力情報選択部１６が、出力情報選択処理（Ｓ１）を行い、次に、提示情報選択部１５と情報提示部１４が、提示情報選択処理（Ｓ２）を行い、次に、力加減データ検出装置２、力加減データ受信部１２と変形処理部１３と情報提示部１４がフィードバック処理（Ｓ３）を行い、終了する。
【００２９】
図４は、出力情報選択処理（Ｓ１）の詳細なフローチャートである。
【００３０】
出力情報選択部１６は、画像、色、音、振動の１以上をユーザＵに選択させるための画面を、情報提示装置１に接続された表示装置（図示せず。以下、単に「表示装置」という）に表示する（Ｓ１１）。ユーザＵは、情報提示装置１に接続されたキーボードやマウスなどの入力装置（図示せず。以下、単に「入力装置」という）に入力操作を行う。
【００３１】
出力情報選択部１６は、画像を選択する入力操作が行われたなら（Ｓ１２：ＹＥＳ）、画像のフラグをＯＮにし（Ｓ１３）、色を選択する入力操作が行われたなら（Ｓ１４：ＹＥＳ）、色のフラグをＯＮにし（Ｓ１５）、音を選択する入力操作が行われたなら（Ｓ１６：ＹＥＳ）、音のフラグをＯＮにし（Ｓ１７）、振動を選択する入力操作が行われたなら（Ｓ１８：ＹＥＳ）、振動のフラグをＯＮにする（Ｓ１９）。
【００３２】
図５は、提示情報選択処理（Ｓ２）の詳細なフローチャートである。
【００３３】
提示情報選択部１５は、データベース１１から各提示情報ＩＤを読み出し（Ｓ２１）、いずれかをユーザＵに選択させるための画面を表示装置に表示する（Ｓ２２）。
【００３４】
図６に示すように、画面は、卵を示す提示情報ＩＤに対応する画像である卵の画像（例えば、画像(Egg_0.png)）と選択ボタン、生命体を示す提示情報ＩＤに対応する画像（例えば、画像(human_0.png))である握手の画像と選択ボタン、リンゴを示す提示情報ＩＤに対応する画像であるリンゴの画像と選択ボタンを含む。
【００３５】
ユーザＵは、いずれかの提示情報ＩＤを選択する入力操作（ボタン押下）を入力装置に行う（図５：Ｓ２３）。
【００３６】
提示情報選択部１５は、例えば、卵を示す提示情報ＩＤを選択する入力操作が行われたなら、力がかかってない卵の画像として、変形のない画像(Egg_0.png)を表示装置に表示し（Ｓ２４）、卵を示す提示情報ＩＤを情報提示部１４に送信し（Ｓ２５）、処理を終える。例えば、提示情報選択部１５は、画像(Egg_0.png)以外を画面から消去する（Ｓ２４）。
【００３７】
または、提示情報選択部１５は、例えば、生命体を示す提示情報ＩＤを選択する入力操作が行われたなら、力がかかってない生命体の画像として、力を感じていない生命体の画像(human_0.png)を表示装置に表示し（Ｓ２４）、生命体を示す提示情報ＩＤを情報提示部１４に送信し（Ｓ２５）、情報提示部１４が提示情報ＩＤを変形処理部１３に送信し（Ｓ２５）、処理を終える。例えば、提示情報選択部１５は、画像(human_0.png)以外を画面から消去する。
【００３８】
図７は、フィードバック処理（Ｓ３）の詳細なフローチャートである。
【００３９】
まず、力加減データ検出装置２は、ユーザ使用物体２０にかけられた力の数と大きさと方向を検出したなら（Ｓ３１：ＹＥＳ）、検出した力の数と大きさと方向を示す力加減データを生成し（Ｓ３２）、力加減データ受信部１２に送信する。力加減データ受信部１２は、力加減データを受信し、力加減データを変形処理部１３に送信する。
【００４０】
力加減データ検出装置２は、ユーザ使用物体２０に組み込まれた圧力センサや気圧センサなどの検出値やユーザ使用物体２０を撮影した画像の解析結果などに基づいて力の数と大きさと方向を検出する（Ｓ３１）。
【００４１】
例えば、図８に示すように、座標(x1, y1, z1)に7[N/ m2]の力がかかり、座標(x2, y2, z2)に4[N/ m2]の力がかかったとする。
【００４２】
例えば、情報提示装置１では、予め、xyz空間の原点を通り且つxｙ平面に対して４５度をなす面と、原点を通り且つxｙ平面に対して−４５度をなす面との間の範囲を記憶する。図では範囲を網掛けとする。両座標が、図８のように当該範囲にある場合、力の方向は横とする。両座標が、当該範囲にない場合、力の方向は縦とする。一方の座標が当該範囲にあり、他方の座標が当該範囲にない場合、力の方向は全体（全方向）とする。
【００４３】
上記例では、力の数は２[点]、力の大きさは大きい方を採用し、7[N/ m2]、力の方向は例えば横となる。
【００４４】
変形処理部１３は、データベース１１において、情報提示部１４から受信した提示情報ＩＤに対応づけられた部分から、当該力加減データに対応する力加減設定情報を検索し、当該力加減設定情報に対応づけられた出力情報を読み出す（図７：Ｓ３３）。
【００４５】
提示情報ＩＤが卵を示し、力加減データにより示される力の数が２[点]、力の大きさが7[N/ m2]、力の方向が横の場合、7[N/ m2]が圧力値5〜10[N/ m2]の範囲に含まれ、２[点]が圧力点数[点]に一致し、力の方向が横で一致するので、画像（Egg_1.png)、255:255:0(黄)、音（Egg_1.mp3)、振動振幅[中]、振動周波数[中]を示す出力情報が読み出される（Ｓ３３）。
【００４６】
変形処理部１３は、次に、当該出力情報から、ステップＳ１３またはＳ１５またはＳ１７またはＳ１９でＯＮにしたフラグに対応する情報を読み出し（Ｓ３４）、情報提示部１４に送信する。情報提示部１４は、変形処理部１３から情報を受信する。
【００４７】
情報提示部１４は、受信した情報が画像を示すものなら、当該画像を表示装置に表示し（Ｓ３５）、受信した情報が色を示すものなら、当該色を例えば表示装置において発生させ（Ｓ３５）、受信した情報が音を示すものなら、当該音を例えば情報提示装置１に接続されたスピーカ（図示せず）において発生させ（Ｓ３５）、受信した情報が振動を示すものなら、例えば情報提示装置１において当該振動を発生させる（Ｓ３５）。
【００４８】
例えば、変形のない画像(Egg_0.png)が、変形後の画像(Egg_1.png、例えば、卵の殻が割れた状態の画像)に変化し、画像の色が黄色に変化し、音源(Egg_1.mp3)の音（例えば、卵の殻が割れた音）が発生し、中程度の強さと周波数の振動が継続的に発生する。
【００４９】
別の例を示せば、例えば、力加減データにより示される力の数が２[点]、力の大きさが15[N/ m2]、力の方向が横の場合、15[N/ m2]が圧力値10〜[N/ m2]の範囲に含まれ、２[点]が圧力点数[点]に一致し、力の方向が横方向で一致するので、画像（Egg_2.png)、255:0:0(赤)、音（Egg_2.mp3)、振動振幅[大（１回）]、振動周波数[高]を示す出力情報が読み出される（Ｓ３３）。
【００５０】
この場合、変形のない画像(Egg_0.png)が、変形後の画像(Egg_2.png、例えば、卵が割れて、黄身が落ちる画像)に変化し、画像の色が赤色に変化し、音源(Egg_2.mp3)の音（例えば、卵が割れて、黄身が落ちる音）が発生し、大きな強さと高い周波数の振動が１回発生する。
【００５１】
別の例を示せば、例えば、生命体を示す提示情報ＩＤが選択され、力加減データにより示される力の数が２[点]、力の大きさが5[N/ m2]、力の方向が縦の場合、5[N/ m2]が圧力値2〜6[N/ m2]の範囲に含まれ、２[点]が圧力点数[点]に一致し、力の方向が縦で一致するので、画像（human_1.png)、255:255:0(黄)、音（human_1.mp3)、振動振幅[中]、振動周波数[低]を示す出力情報が読み出される（Ｓ３３）。
【００５２】
この場合、変形のない画像(human_0.png)が、変形後の画像(human_1.png、例えば、力を心地よいと感じている生命体(手）の画像)に変化し、画像の色が黄色に変化し、音源(human_1.mp3)の音（例えば、心地よい音楽）が発生し、中程度の強さと低い周波数の振動が継続的に発生する。
【００５３】
別の例を示せば、例えば、生命体を示す提示情報ＩＤが選択され、力加減データにより示される力の数が２[点]、力の大きさが10[N/ m2]、力の方向が縦の場合、10[N/ m2]が圧力値6〜[N/ m2]の範囲に含まれ、２[点]が圧力点数[点]に一致し、力の方向が縦なので、画像（human_2.png)、255:0:0(赤)、音（human_2.mp3)、振動振幅[大]、振動周波数[中]を示す出力情報が読み出される（Ｓ３３）。
【００５４】
この場合、変形のない画像(human_0.png)が、変形後の画像(human_2.png、例えば、力を痛いと感じている生命体(手）の画像)に変化し、画像の色が赤色に変化し、音源(human_2.mp3)の音（例えば、「痛い」という音声）が発生し、大きな強さと中程度の周波数の振動が継続的に発生する。
【００５５】
以上のように、本実施の形態に係る情報提示装置は、物体（卵など）にかける力の数と大きさと方向を示す力加減設定情報を複数記憶し、当該各力加減設定情報に対応づけて、当該力加減設定情報により示される数と大きさと方向の力をかけた場合の画像である、変形のない画像または変形後の画像または破壊後の画像を示す出力情報を記憶するデータベース１１と、情報提示装置１のユーザＵに使用されるユーザ使用物体２０に対してユーザＵによりかけられた力の数と大きさと方向を示す力加減データを力加減データ検出装置２から受信する力加減データ受信部１２と、データベース１１から力加減データに対応する力加減設定情報を検索し、当該力加減設定情報に対応づけられた出力情報を読み出す変形処理部１３と、力がかかってない物体（卵など）の画像を表示し、変形処理部１３により読み出された出力情報により示される画像を表示する情報提示部１４とを備えることで、ユーザ使用物体２０への力に応じて、変形のない画像または変形後の画像または破壊後の画像が表示されるので、ユーザが子どもの場合、子どもがかけた力加減を子ども自身が理解しやすい提示方法で提示でき、これにより、子どもが力加減を容易に学ぶことができる。
【００５６】
また、情報提示装置は、生命体にかける力の数と大きさと方向を示す力加減設定情報を複数記憶し、当該各力加減設定情報に対応づけて、当該力加減設定情報により示される数と大きさと方向の力をかけた場合の画像である、力を感じていない生命体の画像または力を心地よいと感じている生命体の画像または力を痛いと感じている生命体の画像を示す出力情報を記憶するデータベース１１と、情報提示装置１のユーザＵに使用されるユーザ使用物体２０に対してユーザＵによりかけられた力の数と大きさと方向を示す力加減データを力加減データ検出装置２から受信する力加減データ受信部１２と、データベース１１から力加減データに対応する力加減設定情報を検索し、検索した力加減設定情報に対応づけられた出力情報を読み出す変形処理部１３と、力がかかってない生命体の画像を表示し、変形処理部１３により読み出された出力情報により示される画像を表示する情報提示部１４とを備えることで、ユーザ使用物体２０への力に応じて、力を感じていない生命体の画像または力を心地よいと感じている生命体の画像または力を痛いと感じている生命体の画像が表示されるので、ユーザが子どもの場合、子どもがかけた力加減を子ども自身が理解しやすい提示方法で提示でき、これにより、子どもが力加減を容易に学ぶことができる。
【００５７】
また、出力情報は、対応する力加減設定情報により示される数と大きさと方向の力をかけた場合の画像を示すものであるとともに、当該力加減設定情報により示される数と大きさと方向の力をかけた場合に提示すべき色、音、振動の少なくとも１つを示すものであり、情報提示部１４は、変形処理部１３により読み出された出力情報により示される画像を表示するとともに、当該出力情報により示される色、音、振動の少なくとも１つを発生させるので、画像に加え、力加減を色、音、振動などにより、一層容易に学ぶことができる。
【００５８】
なお、本実施の形態において一部の力加減設定情報は、力の大きさの範囲（圧力値の範囲）を示すものとしたが、圧力値を変数として、画像や色や音や振動が連続的に変化するような態様にすることも可能である。
【００５９】
また、力加減データは、力の方向を示すものなので、例えば卵であれば長径方向ならばより強い力をかけなければ短径方向よりも割れにくいといった特性を利用することで、子どもが長径方向に力をかけていた場合は他の方向からも圧力をかける、つまり多くの点で圧力をかけるようにすると割れやすくなるので、子どもに多くの点で圧力をかけることを促すことが可能であり、これにより、子どもの指先の感覚の発達を促進させることもできる。
【００６０】
また、本実施の形態に係る情報提示装置１としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００６１】
１  情報提示装置
２  力加減データ検出装置
１１  データベース
１２  力加減データ受信部
１３  変形処理部
１４  情報提示部
１５  提示情報選択部
１６  出力情報選択部
【図１】
0006285334.tif 000002
【図２】
0006285334.tif 000003
【図３】
0006285334.tif 000004
【図４】
0006285334.tif 000005
【図５】
0006285334.tif 000006
【図６】
0006285334.tif 000007
【図７】
0006285334.tif 000008
【図８】
0006285334.tif 000009